(57)【特許請求の範囲】
【請求項１】
リスナーが着座するシートと、当該シートに着座したリスナーの周囲を覆うべく前記シートと一体化した遮音性のハウジング本体と、当該ハウジング本体を支持する脚部と、前記ハウジング本体内に設けられた複数のスピーカとを有し、
前記ハウジング本体は、前記リスナーが出入りする開口部が形成された球形または卵形になっていると共に、当該ハウジング本体が前記開口部から左右または上下に分割し、その分割された部分にスペーサが連結自在となっていることを特徴とする音楽鑑賞装置。
【請求項２】
請求項１に記載の音楽鑑賞装置において、
前記シートは、リスナーの頭部を支持するヘッドレスト部を有すると共に、当該ヘッドレスト部を中心にリクライニング動作することを特徴とする音楽鑑賞装置。
【請求項３】
請求項１に記載の音楽鑑賞装置において、
前記シートは、その位置が固定されたヘッドレスト部と、当該ヘッドレスト部と連結した背面シート部と、当該背面シート部と連結した座面シート部とを有し、
前記背面シート部は、前記ヘッドレスト部を軸として上下方向に動作すると共に、前記座面シート部は、前記背面シート部との連結部を軸として上下方向に動作することを特徴とする音楽鑑賞装置。
【請求項４】
請求項３に記載の音楽鑑賞装置において、
前記シートは、前記座面シート部と連結したフットレスト部をさらに有し、当該フットレスト部が前記開口部の外側に位置していることを特徴とする音楽鑑賞装置。
【請求項５】
請求項１乃至４のいずれかに記載の音楽鑑賞装置において、
前記複数のスピーカを駆動するスピーカ駆動用アンプを前記シートまたはハウジング本体あるいは脚部に内蔵したことを特徴とする音楽鑑賞装置。
【発明の詳細な説明】
【技術分野】
【０００１】
本発明は、リクライニングシートとサラウンドシステムなどの音響システムを組み合わせた新しい音楽鑑賞装置に関するものである。
【背景技術】
【０００２】
従来は家庭でＤＶＤなどを鑑賞する場合、その音声はＴＶやステレオ装置などのスピーカから流れるため、少々物足りないものであったが、５．１チャンネルや７．１チャンネルサラウンドシステムのような立体的な音響システムを導入することにより、家庭でも映画館で見るのと同じような臨場感を味わうことが可能となってきた。この音響システムは、センタースピーカやフロントスピーカ、サラウンドスピーカ、サブウーハといった複数のスピーカを視聴者の周囲に所定の角度で配置し、それぞれのスピーカから独立した音声を独自のタイミングで鳴らすことで立体的で臨場感のある演出を可能としている。【０００３】
一方、音楽を聴いたりＤＶＤを鑑賞する際に視聴者は、椅子やソファーに座った状態で視聴することが殆どである。そのため、従来では例えば以下の特許文献１乃至６のように椅子本体の内部やその近傍にスピーカを配置した音楽を鑑賞するための椅子が種々提案されている。
【先行技術文献】
【特許文献】
【０００４】
【特許文献１】特開２０１４−４００号公報
【特許文献２】特開２００４−１２１３０７号公報
【特許文献３】特開２００２−２２３８９０号公報
【特許文献４】特開２００２−１５２８８０号公報
【特許文献５】特開平１０−２８５６７８号公報
【特許文献６】特開平７−２３８２９号公報
【発明の概要】
【発明が解決しようとする課題】
【０００５】
ところで、サラウンドシステムのような高性能の音響システムを購入しても日本の狭い住宅事情や家庭環境などを考慮すると映画館やコンサート会場並みの大音量で楽しむのは難しい。一方、椅子本体の内部やその近傍にスピーカを配置しただけの構成では、立体感のある高音質の音声を再現するのは困難である。【０００６】
そこで、本発明はこれらの課題を解決するために案出されたものであり、その目的は、音声や音楽を周囲に迷惑をかけることなく快適な状態で楽しむことができる新規な音楽鑑賞装置を提供するものである。
【課題を解決するための手段】
【０００７】
前記課題を解決するために第１の発明は、リスナーが着座するシートと、当該シートに着座したリスナーの周囲を覆うべく前記シートと一体化した遮音性のハウジング本体と、当該ハウジング本体を支持する脚部とを有し、前記ハウジング本体は、その内部に少なくとも前記シートに着座したリスナーの後方に位置するサラウンドスピーカとサブウーハーとを含む複数のスピーカを有すると共に、前記リスナーが出入りする開口部が形成されたことを特徴とする音楽鑑賞装置である。【０００８】
このような構成によれば、リスナーが開口部からハウジング本体内に入るようにしてシートに座ると少なくともその頭部が遮音性を有するハウジング本体内に位置し、その状態でその内部に設けられた複数のスピーカから音声や音楽を聴取するようになる。この結果、音量を大きくしてもその音がハウジング本体内だけに留まって周囲に拡散しないため、騒音などの迷惑をかけることがなく、快適な状態で音楽や音声を楽しむことができる。また、少なくともサラウンドスピーカとサブウーハを備えているため、サラウンド音楽を迫力のある重低音と共に楽しむことができる。【０００９】
第２の発明は、第１の発明において、前記複数のスピーカは、前記開口部両側に配置される一対のセンタースピーカと前記シートに着座したリスナーの前方に配置されるフロントスピーカとを含むことを特徴とする音楽鑑賞装置である。このような構成によれば、より効果的なサラウンド音楽を楽しむことができる。【００１０】
第３の発明は、第１の発明において、前記複数のスピーカは、前記開口部両側のハウジング本体内壁に配置される一対のセンタースピーカと、前記シートに着座したリスナーの前方左右のハウジング本体内壁にそれぞれ配置される一対のフロントスピーカと、前記シートに着座したリスナーの後方左右のハウジング本体内壁にそれぞれ配置される一対のサラウンドスピーカと、前記シートに着座したリスナーの座面下部から背面に亘って配置されるサブウーハとを有することを特徴とする音楽鑑賞装置である。このような構成によれば、省スペースで低音域から高音域に亘って臨場感のあるサラウンド音響を楽しむことができる。【００１１】
第４の発明は、第１乃至第３の発明において、前記ハウジング本体が球形または卵形であることを特徴とする音楽鑑賞装置である。このような構成によれば、ハウジング本体の中央部に位置するリスナーの頭部に対してそれぞれのスピーカの向きを最適にできると共にその距離が均一になるため、最適な音響効果を発揮できる。また、見た目も斬新でソフトな印象を与えるため、集客効果やディスプレイ効果も期待できる。【００１２】
第５の発明は、第４の発明において、前記ハウジング本体が開口部から左右または上下に分割することを特徴とする音楽鑑賞装置である。このようにハウジング本体が開口部から左右または上下に分割可能であると、運搬や収納が容易となる。【００１３】
第６の発明は、第５の発明において、前記分割部にスペーサが連結自在となっていることを特徴と音楽鑑賞装置である。このような構成によれば、リスナーの人数などに応じてスペーサを着脱することでその内部空間の大きさを自由に調整できる。【００１４】
第７の発明は、第１乃至第６の発明において、前記シートはリスナーの頭部を支持するヘッドレスト部を有すると共に、当該ヘッドレスト部を中心にリクライニング動作することを特徴とする音楽鑑賞装置である。このような構成によれば、リクライニング動作によりリスナーの姿勢が変わってもその頭部の位置が殆ど変わらないため、リスナーがどのような姿勢であっても常に最適なサラウンド音響を楽しむことができる。【００１５】
第８の発明は、第７の発明において、前記シートは、その位置が固定された前記ヘッドレスト部と、当該ヘッドレスト部と連結した背面シート部と、当該背面シート部と連結した座面シート部とを有し、前記背面シート部は、前記ヘッドレスト部を軸として上下方向に動作すると共に、前記座面シート部は、前記背面シート部との連結部を軸として上下方向に動作することを特徴とする音楽鑑賞装置である。このように構成することにより、リスナーの頭部の位置を殆ど変えることなく、リスナーの姿勢をその要求に応じて自由に変えることができる。【００１６】
第９の発明は、第８の発明において、前記シートは、前記座面シート部と連結したフットレスト部をさらに有し、当該フットレスト部が前記開口部の外側に位置していることを特徴とする音楽鑑賞装置である。このような構成によれば、着座した状態のリスナーの脚部をそのフットレスト部に載せることによってより安楽な姿勢とすることができる。また、このフットレスト部が開口部の外側に位置していることにより、リスナーの下半身または足が外に出た状態となるため、誰かが本装置を利用していることを外部から容易に把握することができる。【００１７】
第１０の発明は、第１乃至９の発明において、前記複数のスピーカを駆動するスピーカ駆動用アンプを前記シートまたはハウジング本体あるいは脚部に内蔵したことを特徴とする音楽鑑賞装置である。このような構成によれば、
配線が減ってスッキリとなり、かつ新たにサブウーハ用アンプを用意する必要がなくなるため、コストダウンも可能となる。
【発明の効果】
【００１８】
本発明によれば、リスナーが開口部からハウジング本体内に入るようにしてシートに座ると少なくともその頭部が遮音性を有するハウジング本体内に位置し、その状態でその内部に設けられた複数のスピーカから音声や音楽を聴取するようになる。この結果、音量を大きくしてもその音がハウジング本体内だけに留まって周囲に拡散しないため、騒音などの迷惑をかけることがなく、快適な状態で音楽や音声を楽しむことができる。
【図面の簡単な説明】
【００１９】
【図１】本発明に係る音楽鑑賞装置１００の実施の一形態を示す斜視図である。
【図２】図１に示す音楽鑑賞装置１００の縦断面図である。
【図３】本発明に係る音楽鑑賞装置１００の構成を示すブロック図である。
【図４】スピーカの配置関係を示す説明図である。
【図５】リクライニングシート２０にリスナーＬが座った状態を示す概念図である。
【図６】リクライニングシート２０を動かしてリスナーＬの姿勢を仰向けにした状態を示す概念図である。
【図７】本発明に係る音楽鑑賞装置１００の他の実施の形態を示す斜視図である。
【図８】本発明に係る音楽鑑賞装置１００の他の実施の形態を示す縦断面図である。
【図９】本発明に係る音楽鑑賞装置１００の他の実施の形態を示す斜視図である。
【図１０】本発明に係る音楽鑑賞装置１００の他の実施の形態を示す側面図である。
【発明を実施するための形態】
【００２０】
次に、本発明の実施の形態を添付図面を参照しながら説明する。図１は本発明に係る音楽鑑賞装置１００の実施の一形態を示したものである。図示するように、この音楽鑑賞装置１００は、遮音性を有するハウジング１０と、このハウジング１０内に設けられたリクライニングシート２０とから主に構成されている。
【００２１】
ハウジング１０は、球形状のハウジング本体１１の下部に円錐台形した脚部１２を一体的に備えた構造となっている。このハウジング本体１１はプラスチックや金属などで構成されており、人が容易に入れる程度の大きさ、例えば直径が１．２ｍ〜１．５ｍ程度の大きさとなっている。このハウジング本体１１の正面にはリスナー（人）Ｌが容易に出入りできる程度の大きさ、例えば直径が約１．０ｍ程度の円形の開口部３０が形成されている。すなわち、この開口部３０の大きさとしては、ハウジング本体１１の表面積の２０〜４０％程度であれば、ハウジング本体１１内の出入りが容易でかつ閉塞感を感じることなく適度な個室感を得ることができる。また、後述するようにその開口部３０から外側に配置されたスクリーンなどの見る場合にも邪魔になることがない。
【００２２】
一方、リクライニングシート２０は、リスナーＬが楽な姿勢で着座できるためのものであり、図２に示すようにハウジング本体１１内空間の略中央部に位置するヘッドレスト部２１と、このヘッドレスト部２１と一体化された背面シート部２２と、この背面シート部２２と連結された座面シート部２３と、この座面シート部２３と一体化されたフットレスト部２４とから構成されている。
【００２３】
ヘッドレスト部２１は、リスナーＬの頭部を支えるためのものであり、これを水平に貫通する支持軸２１ａの両端がハウジング本体１１内に固定された支持脚２９によって軸支されている。このため、このヘッドレスト部２１と一体化されている背面シート部２２は、このヘッドレスト部２１の支持軸２１ａを軸として上下方向に揺動可能となっている。一方、座面シート部２３は、この背面シート部２２の下端に連結軸２５を介して連結されており、この連結軸２５を軸として上下方向に揺動可能となっている。
【００２４】
この座面シート部２３と背面シート部２２とを連結する連結軸２５は、その両端がそれぞれ一対の第１昇降シリンダ２７、２７（図では一方のみ示す）によって支持されている。この第１昇降シリンダ２７、２７は、上端が連結軸２５側に連結されると共に下端がハウジング本体１１側に連結されており、図３に示すようにアクチュエータ５０から供給される油圧などによって伸縮動するようになっている。
【００２５】
また、この座面シート部２３のフットレスト部２４側にも同じく支持軸２６が設けられており、この支持軸２６の両端がそれぞれ一対の第２昇降シリンダ２８、２８（図では一方のみ示す）によって支持されている。この第２昇降シリンダ２８、２８は、上端が支持軸２６側に連結されると共に下端がハウジング本体１１側に連結されており、第１昇降シリンダ２７、２７と同様に図３に示すようにアクチュエータ５０から供給される油圧などによって伸縮動するようになっている。
【００２６】
図２に示すように、このハウジング本体１１の内部には、同じく球形をした内壁１３が約１０ｃｍ程度の間隙１４を隔てて設けられており、この間隙１４には、ウレタンスポンジなどの防音材１４ａが充填されている。さらに、この内壁１３には後述するサラウンド音響システム１１０を構成する一対のセンタースピーカＳ１、Ｓ１と、一対のフロントスピーカＳ２、Ｓ２と、一対のサラウンドスピーカＳ３，Ｓ３と、サブウーハＳ４とが設けられている。
【００２７】
また、このハウジング本体１１内であって背面シート部２２の背面側には、空洞部１５が形成されており、この空洞部１５内の隔壁１６には前記サブウーハＳ４が設けられている。そして、この空洞部１５にはハウジング本体１１内と連通する連通孔１７が形成されており、サブウーハＳ４からの重低音（空気の振動）がこの連通孔１７を介してハウジング本体１１内に伝わるようになっている。
【００２８】
このハウジング１０には、図３に示すようなサラウンド音響システム１１０が設けられている。このサラウンド音響システム１１０は前述したように一対のセンタースピーカＳ１、Ｓ１と、一対のフロントスピーカＳ２、Ｓ２と、一対のサラウンドスピーカＳ３，Ｓ３と、１つのサブウーハＳ４といった複数種のスピーカの他に、音声再生部６０と、アンプ部７０と、コントローラ（リモコン）４０とから構成されている。
【００２９】
そして、コントローラ４０で制御される音声再生部６０がＣＤやＤＶＤなどの音源を再生してサラウンド音声データを取り出し、アンプ部７０がその音声データをチャンネル別に振り分けて音量や音を出すタイミングを微妙に変化させたサラウンド音源を生成して各スピーカから独立した音を鳴らすようになっている。なお、コントローラ４０はリクライニングシート２０の近傍に配置されているか、あるいはリスナー自身が直接手に持てるようなっている。
【００３０】
図４は、このハウジング本体１１内における各スピーカの配置関係を示したものである。リスナーＬの頭部が位置するヘッドレスト部２１を中心としてその正面方向左右、すなわち図１に示すようにハウジング本体１１の開口部３０の中心から両側略３０°の角度の位置に一対のセンタースピーカＳ１、Ｓ１がそれぞれ配置され、この開口部３０の中心から両側略６０°の角度の位置にそれぞれ一対のフロントスピーカＳ２、Ｓ２が配置されている。さらに、この開口部３０の中心から両側略１２０°の角度の位置にそれぞれ一対のサラウンドスピーカＳ３、Ｓ３が配置されており、ヘッドレスト部２１の背面側にサブウーハＳ４が配置されている。
【００３１】
そして、サラウンド音響システム１１０のアンプ部７０は、このヘッドレスト部２１の位置で最適なサラウンド音響となるように各スピーカからの音量や音の出すタイミングなどを調整している。なお、音声と共にＤＶＤなどの映像を再生する場合には、その開口部３０の正面に大型の液晶モニターやプロジェクターのスクリーンなどが配置されており、リスナーＬはリクライニングシート２０に座った状態でその開口部３０を介してモニター上に表示される映像を視ることになる。
【００３２】
このような構成をした本発明の音楽鑑賞装置１００では、図５に示すようにリクライニングシート２０にリスナーＬが座るとその頭部がハウジング１０内の略中央部に位置し、その位置でその内部に設置された複数のスピーカから音声や音楽を聴くようになる、そしてこのハウジング１０は遮音性のため、スピーカからの音量が大音量であっても音が外に拡散しなくなるため、周囲に騒音となるような迷惑をかけることがない。また、サラウンド音響システム１１０を構成する複数のスピーカがハウジング１０内に設置されているため、狭いスペースでも高音質のサラウンド音響を楽しむことができる。さらに、リスナーＬの上半身の周囲がハウジング１０で覆われることによって余計な視界が遮られるため、音声や音楽に集中することができる。
【００３３】
その一方、リクライニングシート２０の座面シート部２３は開口部３０側に位置していることから上半身がハウジング１０内に位置していても、下半身または足はハウジング１０の外方に位置するため、閉塞感が軽減されると共にハウジング１０内の出入りが容易になる。また、外部からはハウジング１０内の人の存在を有無を容易に把握することもできるため、そのままレンタルルームや公共の施設などにも設置することができる。
【００３４】
また、リスナーＬが座るリクライニングシート２０は、ヘッドレスト部２１を中心にその全体がリクライニング動作するため、リスナーＬの姿勢が変わってもその頭部の位置は殆ど変わらないため、常に最適なサラウンド音響を楽しむことができる。すなわち、図６に示すように、通常の状態（図５の状態）から第１昇降シリンダ２７を伸張すると、背面シート部２２の下端側がヘッドレスト部２１を上方に回動すると共に、これと連結された座面シート部２３の位置も高くなる。
【００３５】
これによって座面シート部２３に対して背面シート部２２が倒れるような動きとなるため、リスナーＬの腰の位置だけが上昇し、リスナーＬは腰を伸ばして後ろ側に倒れるような（寝るような）よりリラックスした姿勢となる。なお、この第１昇降シリンダ２７の伸張操作や伸張量は、リスナーＬがコントローラ４０を操作することで自由に行うことができる。このとき、ヘッドレスト部２１の位置は元の位置から殆ど変わらないため、リスナーＬの頭部の位置も殆ど変わらない。従って、リクライニングシート２０のリスナーＬの姿勢がどのように変化してもリスナーＬの頭部（耳）は常に同じ位置に維持されることから、リスナーＬの頭部（耳）と各スピーカとの位置関係が変わることがなく、常に最適なサラウンド音響を楽しむことができる。
【００３６】
また、さらにこの第１昇降シリンダ２７の伸張操作と同様に第２昇降シリンダ２８を伸張すれば、図６に示すようにリスナーＬの下半身や足も水平に保持できるため、全体が水平状態に近くなり、よりゆったりとした姿勢で音声や音楽などを楽しむことができる。そして、リスナーＬがこのハウジング本体１１から出るときには、第１昇降シリンダ２７および第２昇降シリンダ２８を収縮させればリクライニングシート２０が元の状態に戻るため、容易にハウジング本体１１から出ることができる。
【００３７】
なお、本実施の形態では、センタースピーカＳ１、Ｓ１、フロントスピーカＳ２、Ｓ２、サラウンドスピーカＳ３，Ｓ３、サブウーハＳ４といった６つのスピーカからなるいわゆる５．１ｃｈサラウンド音響システムの例で説明したが、さらにスピーカを増やした７．１ｃｈや９．１ｃｈサラウンド音響システムでも同様な効果が得られる。また、ハウジング１０の形状としては、球形の他に卵形や箱形、ドーム形などのその他の形状であっても良い。また、ハウジング本体１１の内側に別途モニタなどを付設しても良い。
【００３８】
また、図７に示すように、ハウジング本体１１をその開口部３０の中心部から左右に分割可能とし、その分割部にスペーサ８０を連結（介在）できるように構成しても良い。このように構成すれば、ハウジング本体１１およびその開口部３０の幅を左右に広げることが可能となるため、カップルなどの２人以上同時にそのハウジング本体１１内に入って同じ音声や音楽を楽しむことができる。また、図８に示すように、ハウジング本体１１の天井部にさらに第５のスピーカを設置し、天井方向からも音が出るようにすればよりリアルで臨場感溢れる音響を実現することができる。
【００３９】
さらに、費用面を重要視する場合には、リクライニングシート２０の代わりに通常の固定シートを用いたり、サラウンド音響システム１１０の代わりに通常のステレオ音響システムを用いれば、コストを削減することができる。
【００４０】
さらに、図９および図１０に示すように、このハウジング本体１１をその中段部分から上下に分割可能な構成としてもよい。このようにすれば、本装置の大部分を占めるハウジング本体１１の大きさを小さく、すなわちその高さを低くできるため、運搬や収納が容易となる。この場合、組み立てが容易になるように、例えば上部ハウジング本体１１ａの開口部側にそれぞれガイドピン１１ｃ、１１ｃを設けると共に、下部ハウジング本体１１ｂの開口部３０側にそれぞれガイド穴１１ｄ、１１ｄを設け、そのガイド穴１１ｄ、１１ｄにガイドピン１１ｃ、１１ｃを挿入するようにすれば、容易かつ正確に組み立てを行うことができる。
【００４１】
また、さらに上部ハウジング本体１１ａと下部ハウジング本体１１ｂの当接部にパッキン１１ｅを設ければ、音漏れも防止することができる。また、開口部３０の縁部１１ｆをハウジング本体１１の内側に向くように傾斜させ、その内側にセンタースピーカＳ１やフロントスピーカＳ２を設けるようにすれば、リスナーＬに対してより効果的に音を伝えることができる。また、図１０に示すように脚部１２を逆Ｔ字型の１本脚とし、その部分をねじ部材で構成して昇降可能とすれば、リスナーＬの体格などに応じてハウジング本体１１の高さを簡単に調整できる。
【００４２】
また、各スピーカを駆動するためのアンプをこのハウジング本体１１または脚部１２あるいはリクライニングシート２０に内蔵した構成としても良い。すなわち、現在の殆どのスピーカはパッシブスピーカで、スピーカ駆動には市販ＡＶアンプと複数の線で繋ぐことになるが、サブウーハ用アンプをハウジング本体１１などに内蔵したり、あるいは全てのスピーカ用アンプをハウジング本体１１などにビルトインし、音楽信号は無線LANなどの無線で受けるようにすれば、配線が減ってスッキリとなり、かつ新たにサブウーハ用アンプを用意する必要がなくなるため、コストダウンも可能となる。
【符号の説明】
【００４３】
１００…音楽鑑賞装置
１１０…サラウンド音響システム
１０…ハウジング
１１…ハウジング本体
１１ａ…上部ハウジング本体
１１ｂ…下部ハウジング本体
１２…脚部
１４ａ…遮音材
２０…リクライニングシート
２１…ヘッドレスト部
２２…背面シート部
２３…座面シート部
２４…フットレスト部
３０…開口部
４０…コントローラ
５０…アクチュエータ
６０…音声再生部
７０…アンプ部
８０…スペーサ
Ｓ１…センタースピーカ
Ｓ２…フロントスピーカ
Ｓ３…サラウンドスピーカ
Ｓ４…サブウーハ
Ｓ５…天井スピーカ
Ｌ…リスナー
【図１】
0006776342.tif 000002
【図２】
0006776342.tif 000003
【図３】
0006776342.tif 000004
【図４】
0006776342.tif 000005
【図５】
0006776342.tif 000006
【図６】
0006776342.tif 000007
【図７】
0006776342.tif 000008
【図８】
0006776342.tif 000009
【図９】
0006776342.tif 000010
【図１０】
0006776342.tif 000011